(57)【要約】      （修正有）【課題】使用中においても、使用が完了した後においても、箱の内部に異物などが侵入するおそれを排除して、衛生の面で問題が生じる可能性を減少させ、箱の内部の良好な清潔状態を保つことができる、シート状製品収納箱及び箱入りシート状製品を提供する。【解決手段】切取線のところで蓋部を箱の上面及び側面からそれぞれ切り離し、折れ曲がり線を中心として蓋部を回動させて上側に持ち上げることにより箱に形成される開口部に合成樹脂製のフィルムを張設する。【選択図】図２
0003106407.tif 000002
【実用新案登録請求の範囲】
【請求項１】
シート状製品を収納する直方体状の箱であって、
当該箱の上面に当該上面の一側辺に沿って延びる折れ曲がり線が形成され、
当該折れ曲がり線の両端からそれぞれ当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能になる蓋部が形成され、
前記２本の切取線によって前記蓋部を形成する部分が前記箱の側面から切り離された際に当該切り離された部分を当該箱の内側から閉鎖するように前記箱の側面に沿って延び、上端辺が前記蓋部が形成される前記箱の側面の他側辺の高さ位置より低い位置で前記他側辺に沿って延びている内側支持板体が前記箱の側面の内側に備えられており、
前記蓋部の前記箱の側面によって形成されている部分の前記箱の底面側に向かう先端部が挿脱可能な挿入口が前記箱の側面部に形成されていて、
前記内側支持板体の上端辺と、前記箱の上面の折れ曲がり線が形成されている部分の内側面との間の全域にわたって合成樹脂製のフィルムが張設されていると共に、当該合成樹脂製のフィルムに、当該箱の中に収納されシート状製品を取り出す取り出し口が形成されている
ことを特徴とするシート状製品収納箱。
【請求項２】
箱の上面の前記他側辺部から当該他側辺を含む前記箱の側面を箱の底面側に向かって延びる２本の切取線は、当該側面を所定の距離だけ箱の底面側に向かって互いに接近する方向へ斜めに延びた後、互いに平行に、箱の底面の辺に至るまで延びていること特徴とする請求項１記載のシート状製品収納箱。
【請求項３】
箱の側面部に形成されている挿入口に挿脱される前記蓋部の前記先端部は、前記切取線によって前記箱の側面から切り取られる部分の中の、前記互いに平行に箱の底面の辺に至るまで延びている前記切取線によって前記箱の側面から切り取られる部分であること特徴とする請求項２記載のシート状製品収納箱。
【請求項４】
蓋部の前記先端部が挿脱可能な前記箱の側面部に形成されている挿入口は、前記箱の側面の内側に配備されている内側支持板体に形成されていることを特徴とする請求項１乃至３のいずれか一項記載のシート状製品収納箱。
【請求項５】
蓋部の前記箱の上面によって形成されている部分の、前記合成樹脂製のフィルムに形成されている取り出し口に対応する位置に、前記合成樹脂製のフィルムに形成されている取り出し口を周状に囲む切取線が設けられていることを特徴とする請求項１乃至４のいずれか一項記載のシート状製品収納箱。
【請求項６】
請求項１乃至５のいずれか一項記載のシート状製品収納箱の中にシート状製品が収納されていることを特徴とする箱入りシート状製品。
【考案の詳細な説明】
【技術分野】
【０００１】
この考案は、ティッシュペーパー、キッチンペーパー、クッキングペーパー等のシート状製品を収納するシート状製品収納箱及び、このようなシート状製品収納箱にティッシュペーパー、キッチンペーパー、クッキングペーパー等のシート状製品が収納されている箱入りシート状製品に関する。
【背景技術】
【０００２】
従来、キッチンペーパー、クッキングペーパーのようなシート状製品を収納するシート状製品収納箱及び、このようなシート状製品収納箱にキッチンペーパー、クッキングペーパーのようなシート状製品が収納されている箱入りシート状製品においては、シート状製品を収納する直方体状の箱の上面に当該上面の一側辺に沿って延びる折れ曲がり線が形成され、当該折れ曲がり線の両端からそれぞれ当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能になる蓋部が形成されているのが一般的であった。
【０００３】
このような箱入りシート状製品を使用する者は、前記の切取線のところで蓋部を箱の上面及び側面からそれぞれ切り離し、前記折れ曲がり線を中心として蓋部を回動させて上側に持ち上げることにより箱に形成された開口部からキッチンペーパー、クッキングペーパーのようなシート状製品を一枚一枚つまみ取って使用していた（いわゆるリード式の取り出し方である）。
【０００４】
このため、使用中においても、使用が完了した後においても、蓋部を切取線のところで箱の上面及び側面からそれぞれ切り離し、折れ曲がり線を中心として回動させて上側に持ち上げることにより箱に形成された開口部は常に開いたまの状態にあり、衛生の面で問題が生じる可能性があり、また、清潔さを保つという面においても改善すべき余地があった。
【特許文献１】特開２００３−１１８７８２
【特許文献２】特開２００３−３２７２８０
【考案の開示】
【考案が解決しようとする課題】
【０００５】
この考案は、ティッシュペーパー、キッチンペーパー、クッキングペーパー等のシート状製品を収納する直方体状の箱の上面に当該上面の一側辺に沿って延びる折れ曲がり線が形成され、当該折れ曲がり線の両端からそれぞれ当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能な蓋部が形成されていて、使用する者が前記の切取線のところで蓋部を箱の上面及び側面からそれぞれ切り離し、前記折れ曲がり線を中心として蓋部を回動させて上側に持ち上げることにより箱に形成された開口部からシート状製品を取り出す形式のシート状製品収納箱、箱入りシート状製品において、使用中においても、使用が完了した後においても、箱の内部に異物などが侵入するおそれを排除して、衛生の面で問題が生じる可能性を減少させ、箱の内部の良好な清潔状態を保つことが可能なシート状製品収納箱及び箱入りシート状製品を提供することを目的としている。
【課題を解決するための手段】
【０００６】
前記課題を解決するため、この考案が提案するシート状製品収納箱は、以下の構成からなるものである。
【０００７】
本考案のシート状製品収納箱は、ティッシュペーパー、キッチンペーパー、クッキングペーパー等のシート状製品を収納する直方体状の箱、例えば、紙製の直方体状の箱であって、以下の構造、構成からなる。
【０００８】
この箱の上面には、当該上面の一側辺に沿って延びる折れ曲がり線が形成されている。
【０００９】
そして、この折れ曲がり線の両端から、それぞれ、当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能になる蓋部が形成されるようになっている。
【００１０】
更に、前記２本の切取線によって前記蓋部を形成する部分が前記箱の側面から切り離された際に当該切り離された部分を当該箱の内側から閉鎖するように前記箱の側面に沿って延び、上端辺が前記蓋部が形成される前記箱の側面の他側辺の高さ位置より低い位置で前記他側辺に沿って延びている内側支持板体が前記箱の側面の内側に備えられている。
【００１１】
この蓋部の前記箱の側面によって形成されている部分の前記箱の底面側に向かう先端部が挿脱可能な挿入口が前記箱の側面部に形成されている。
【００１２】
そして、前記内側支持板体の上端辺と、前記箱の上面の折れ曲がり線が形成されている部分の内側面との間の全域にわたって合成樹脂製のフィルムが張設されていると共に、当該合成樹脂製のフィルムに、当該箱の中に収納されシート状製品を取り出す取り出し口が形成されている。
【００１３】
本考案のシート状製品収納箱は前記のように構成されているので、２本の切取線のところで蓋部になる部分を箱の上面及び側面からそれぞれ切り離し、箱の上面の一側辺に沿って延びるように形成されている折れ曲がり線を中心として蓋部を上側に回動させることによって開口になる部が、箱の上面、側面に形成される場合であっても、側面に形成される開口部は内側支持板体によって内側から閉鎖され、内側支持板体の上端辺と、箱の上面の折れ曲がり線が形成されている部分の内側面との間の全域に形成される開口部は合成樹脂製のフィルムによって閉鎖される。
【００１４】
すなわち、本考案のシート状製品収納箱に収納されているティッシュペーパー、キッチンペーパー、クッキングペーパー等のシート状製品を使用する者が、使用するために、前記のようにして、２本の切取線のところで蓋部になる部分を箱の上面及び側面からそれぞれ切り離し、箱の上面の折れ曲がり線を中心として蓋部を上側に回動させた時であっても、箱の内部に収容されているシート状製品は、箱及び、内側支持板体、合成樹脂製のフィルムによって外部から異物などが侵入してこないように保護され、衛生状態や、清潔さに問題が生じるおそれのないものとなっている。
【００１５】
前述した本考案のシート状製品収納箱において、箱の上面の前記他側辺部から当該他側辺を含む前記箱の側面を箱の底面側に向かって延びる２本の切取線は、当該側面を所定の距離だけ箱の底面側に向かって互いに接近する方向へ斜めに延びた後、互いに平行に、箱の底面の辺に至るまで延びている形態にすることができる。
【００１６】
この場合、箱の側面部に形成されている挿入口に挿脱される前記蓋部の前記先端部は、前記切取線によって前記箱の側面から切り取られる部分の中の、前記互いに平行に箱の底面の辺に至るまで延びている前記切取線によって前記箱の側面から切り取られる部分であるようにすることができる。
【００１７】
また、蓋部の前記先端部が挿脱可能な前記箱の側面部に形成されている挿入口は、前記箱の側面の内側に配備されている内側支持板体に形成されているようにすることができる。
【００１８】
以上説明した本考案のいずれのシート状製品収納箱においても、蓋部の前記箱の上面によって形成されている部分の、前記合成樹脂製のフィルムに形成されている取り出し口に対応する位置に、前記合成樹脂製のフィルムに形成されている取り出し口を周状に囲む切取線が設けられている構造にすることができる。
【００１９】
このようにすれば、前記周状の切取線で囲まれている部分を蓋部から切り離すことにより、この蓋部に形成された蓋部取り出し口と、合成樹脂製のフィルムに形成されている取り出し口とを介して、本考案のシート状製品収納箱に収納されているティッシュペーパー、キッチンペーパー、クッキングペーパー等のシート状製品を一枚、一枚、あるいは一葉、一葉取り出すことができる。
【００２０】
すなわち、本考案のシート状製品収納箱によれば、内部に収納されているティッシュペーパー、キッチンペーパー、クッキングペーパー等のシート状製品を使用する者が、これらを使用するために、前記のようにして、２本の切取線のところで蓋部になる部分を箱の上面及び側面からそれぞれ切り離し、箱の上面の折れ曲がり線を中心として蓋部を上側に回動させて、合成樹脂製のフィルムに形成されている取り出し口を介して、シート状製品を一枚、一枚、あるいは一葉、一葉取り出すように使えるだけでなく、蓋部を切り離していない状態においても、あるいは、蓋部を一旦切り離した後に、蓋部の先端部を箱の側面部に形成されている挿入口に挿入して、蓋部が閉じられている状態においても、前記のように、周状の切取線で囲まれている部分を蓋部から切り離すことにより、この蓋部に形成された蓋部取り出し口と、合成樹脂製のフィルムに形成されている取り出し口とを介して、本考案のシート状製品収納箱に収納されているティッシュペーパー、キッチンペーパー、クッキングペーパー等のシート状製品を一枚、一枚、あるいは一葉、一葉取り出すことができる。
【００２１】
従来から、ティッシュペーパーのようなシート状製品を収納するシート状製品収納箱及びこのようなシート状製品収納箱にティッシュペーパーのようなシート状製品が収納されている箱入りシート状製品においては、直方体状の箱の上面に周状に切取線が設けられており、この周状の切取線によって切り取られる取り出し口部の内側に（すなわち、直方体状の箱の上面の内側に）合成樹脂製のフィルムが張設され、この合成樹脂製のフィルムに、収納されているティッシュペーパーのようなシート状製品を取り出すための取り出し口（例えば、スリット状の取り出し口）が形成されているのが一般的であった。このような箱入りシート状製品を使用する者は、箱の上面に周状に設けられている切取線のところで取り出し口部を切り取り、合成樹脂製のフィルムに形成されているスリット状の取り出し口から指を入れて最初の一葉をつまみ出し、以降は、スリット状の取り出し口から出ている一葉を順次引き抜いて使用していた（いわゆるポップアップ式の取り出し方である）。
【００２２】
このような形態の従来のシート状製品収納箱、箱入りシート状製品では、使用中も、シート状製品収納箱の中に収納されているティッシュペーパーのようなシート状製品は、箱の上面に形成されている取り出し口部に箱の内側から張設されている合成樹脂製のフィルムによって箱の外部と隔絶されているので、衛生の面や、清潔さを保つという面において特に問題になることはなかった。
【００２３】
しかし、キッチンペーパー、クッキングペーパーのようなシート状製品を収納する直方体状の箱の上面に当該上面の一側辺に沿って延びる折れ曲がり線が形成され、当該折れ曲がり線の両端からそれぞれ当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能になる蓋部が形成されていて、使用するが、前記の切取線のところで蓋部を箱の上面及び側面からそれぞれ切り離し、前記折れ曲がり線を中心として蓋部を回動させて上側に持ち上げることにより箱に形成された開口部からキッチンペーパー、クッキングペーパーのようなシート状製品を一枚一枚つまみ取って使用する（いわゆるリード式の取り出し方）形態の従来のシート状製品収納箱及び箱入りシート状製品においては、使用中においても、使用が完了した後においても、蓋部を切取線のところで箱の上面及び側面からそれぞれ切り離し、折れ曲がり線を中心として回動させて上側に持ち上げることにより箱に形成された開口部は常に開いたまの状態にあり、箱の内部に異物が侵入するおそれや、衛生の面で問題が生じる可能性があり、また、清潔さを保つという面においても改善すべき余地があった。
【００２４】
本考案によれば、前述したように、使用に際して、２本の切取線のところで蓋部になる部分を箱の上面及び側面からそれぞれ切り離し、箱の上面の折れ曲がり線を中心として蓋部を上側に回動させる形態のシート状製品収納箱及び箱入りシート状製品において、使用中、使用が完了した後における箱内部の衛生状態を保ち、箱内部への異物侵入のおそれをなくして、清潔さを維持できるだけでなく、前述した従来のティッシュペーパーのようなシート状製品を収納するシート状製品収納箱及びこのようなシート状製品収納箱にティッシュペーパーのようなシート状製品が収納されている箱入りシート状製品と同じような使用形態を、使用中、使用が完了した後における箱内部の衛生状態を保ち、箱内部への異物侵入のおそれをなくして、清潔さを維持しながら提供することができる。
【００２５】
次に、本考案が前記課題を解決するため提案する箱入りシート状製品は、前述した本考案のいずれかのシート状製品収納箱の中に、キッチンペーパー、クッキングペーパー、ティッシュペーパーなどのシート状製品が収納されていることを特徴とするものである。
【考案の効果】
【００２６】
本考案によれば、ティッシュペーパー、キッチンペーパー、クッキングペーパー等のシート状製品を収納する直方体状の箱の上面に当該上面の一側辺に沿って延びる折れ曲がり線が形成され、当該折れ曲がり線の両端からそれぞれ当該上面の他側辺に向かって延び、更に、当該他側辺部から当該他側辺を含む前記箱の側面を箱の底面側に向かって延びる２本の切取線によって当該箱の上面及び側面からそれぞれ切り離され、前記折れ曲がり線を中心として回動可能な蓋部が形成されていて、使用する者が前記の切取線のところで蓋部を箱の上面及び側面からそれぞれ切り離し、前記折れ曲がり線を中心として蓋部を回動させて上側に持ち上げることにより箱に形成された開口部からシート状製品を取り出す形式のシート状製品収納箱、箱入りシート状製品において、使用中においても、使用が完了した後においても、箱の内部に異物などが侵入するおそれを排除して、衛生の面で問題が生じる可能性を減少させ、箱の内部の良好な清潔状態を保つことができる。
【００２７】
また、かかる形態のシート状製品収納箱、箱入りシート状製品でありながら、同時に、直方体状の箱の上面に周状に切取線が設けられ、この周状の切取線によって切り取られる取り出し口部の内側に（すなわち、直方体状の箱の上面の内側に）合成樹脂製のフィルムが張設され、この合成樹脂製のフィルムに、箱に収納されているシート状製品を取り出すための取り出し口（例えば、スリット状の取り出し口）が形成されていて、使用する者が、箱の上面に周状に設けられている切取線のところで取り出し口部を切り取り、合成樹脂製のフィルムに形成されているスリット状の取り出し口から指を入れて最初の一葉をつまみ出し、以降は、スリット状の取り出し口から出ている一葉を順次引き抜いて使用する（いわゆるポップアップ式の取り出し方）形態のシート状製品収納箱、箱入りシート状製品としての使用も、同じく、使用中、使用が完了した後における箱の内部に異物などが侵入するおそれを排除して、衛生の面で問題が生じる可能性を減少させ、箱の内部の良好な清潔状態を保ちつつ、可能にすることができる。
【考案を実施するための最良の形態】
【００２８】
以下、添付図面を参照して本考案の好ましい実施形態を説明する。
【００２９】
図１中、符号１で示されているものが本考案のシート状製品収納箱である。このシート状製品収納箱１の中に、ティッシュペーパー、キッチンペーパー、クッキングペーパー等のシート状製品が、従来この技術分野において公知の手法によって、収納されているのが本考案の箱入りシート状製品である。
【００３０】
シート状製品収納箱１は、図１図示のように、直方体状の箱、図示の例では、紙製の直方体状の箱からなる。
【００３１】
シート状製品収納箱１の上面２には、上面２の一側辺３に沿って延びる折れ曲がり線４が形成されている。折れ曲がり線４の両端４ａ、４ｂから、それぞれ、上面２の他側辺５に向かって２本の切取線６ａ、６ｂが延びている。この切取線６ａ、６ｂは、更に、他側辺５の部分から他側辺５を含むシート状製品収納箱１の側面７をシート状製品収納箱１の底面側に向かって延びている。
【００３２】
図示の実施形態では、図１図示のように、２本の切取線６ａ、６ｂは、側面７を所定の距離だけシート状製品収納箱１の底面側に向かって互いに接近する方向へ斜めに延びた後、互いに平行な２本の切取線６ａ−１、６ｂ−１に繋がって、シート状製品収納箱１の底面の辺８に至るまで延びている。
【００３３】
この２本の切取線６ａ〜６ａ−１及び、６ｂ〜６ｂ−１によってシート状製品収納箱１の上面２及び側面７からそれぞれ切り離され、図２に矢印１０ａ、１０ｂで示すように、折れ曲がり線４を中心として回動可能になる蓋部９が形成される。
【００３４】
２本の切取線６ａ〜６ａ−１及び、６ｂ〜６ｂ−１によって蓋部９を形成する部分９ｂが、図２図示のように、シート状製品収納箱１の側面７から切り離された際に、この切り離された部分をシート状製品収納箱１の内側から閉鎖するように、シート状製品収納箱１の側面７に沿って延びる内側支持板体１１が、シート状製品収納箱１の側面７の内側に備えられている。内側支持板体１１の上端辺１１ａは、図２図示のように、その高さ位置が、蓋部９が形成されるシート状製品収納箱１の側面７の他側辺５の高さ位置より低い位置で、この他側辺５に沿って延びている。
【００３５】
図２図示の実施形態では、シート状製品収納箱１の側面７の、切取線６ａ、６ｂの両外側になる部分７ａ、７ｂの内側に、紙製の内側支持板体１１の外側面が貼り付けされている。
【００３６】
シート状製品収納箱１の側面部には挿入口１３が形成されている。この挿入口１３に、蓋部９の、シート状製品収納箱１の側面７によって形成されている部分９ｂの、シート状製品収納箱１の底面側に向かう先端部１２が挿脱可能になっている。
【００３７】
図示の実施形態では、蓋部９の、シート状製品収納箱１の側面７によって形成されている部分９ｂの、シート状製品収納箱１の底面側に向かう先端部１２は、２本の切取線６ａ〜６ａ−１及び、６ｂ〜６ｂ−１によってシート状製品収納箱１の側面７から切り取られる部分の中の、互いに平行にシート状製品収納箱１の底面の辺８に至るまで延びている２本の切取線６ａ−１及び６ｂ−１によってシート状製品収納箱１の側面７から切り取られる部分である。
【００３８】
そして、図示の実施形態では、シート状製品収納箱１の側面部に形成されている挿入口１３は、内側支持板体１１に形成されている。
【００３９】
内側支持板体１１の上端辺１１ａと、シート状製品収納箱１の上面２の折れ曲がり線４が形成されている部分の内側面との間の全域にわたって合成樹脂製のフィルム１４が張設されている。合成樹脂製のフィルム１４には、シート状製品収納箱１の中に収納されシート状製品１５を取り出すスリット状の取り出し口１６が形成されている。
【００４０】
本考案のシート状製品収納箱１は前述し、図示したように構成されているので、２本の切取線６ａ〜６ａ−１及び、６ｂ〜６ｂ−１のところで蓋部９になる部分をシート状製品収納箱１の上面２及び側面７からそれぞれ切り離し、折れ曲がり線４を中心として蓋部を矢印１０ａ（図２）のように上側に回動させることによって開口になる部分が、シート状製品収納箱１の上面２及び側面７に形成されようとする場合であっても、側面７に形成されようとする開口部は内側支持板体１１によって内側から閉鎖され、内側支持板体１１の上端辺１１ａと、シート状製品収納箱１の上面２の折れ曲がり線４が形成されている部分の内側面との間の全域に形成されようとする開口部は合成樹脂製のフィルム１４によって閉鎖される。
【００４１】
すなわち、本考案のシート状製品収納箱１に収納されているティッシュペーパー、キッチンペーパー、クッキングペーパー等のシート状製品１５を使用する者が、使用するために、前記のようにして、２本の切取線６ａ〜６ａ−１及び、６ｂ〜６ｂ−１のところで蓋部９になる部分をシート状製品収納箱１の上面２及び側面７からそれぞれ切り離し、シート状製品収納箱１の上面２の折れ曲がり線４を中心として蓋部９を矢印１０ａ（図２）のように上側に回動させた時（図２図示の状態）であっても、シート状製品収納箱１の内部に収容されているシート状製品１５は、シート状製品収納箱１及び、内側支持板体１１、合成樹脂製のフィルム１４によって外部から異物などが侵入してこないように保護され、衛生状態や、清潔さに問題が生じるおそれがなくなる。
【００４２】
図２図示のようにして使用した後は、蓋部９を矢印１０ｂ（図２）のように下側に回動させて蓋部９を閉鎖し、蓋部９の、シート状製品収納箱１の側面７によって形成されている部分９ｂの、シート状製品収納箱１の底面側に向かう先端部１２を、内側支持板体１１に形成されている挿入口１３に挿入すれば、シート状製品収納箱１内に外部から異物などが侵入するおそれはほとんどなくなり、衛生状態や、清潔さに問題が生じるおそれはなくなる。
【００４３】
この後、シート状製品収納箱１内に収容されているシート状製品１５を使用する場合には、内側支持板体１１に形成されている挿入口１３から蓋部９の先端部１２を抜き取り、蓋部９を、シート状製品収納箱１の上面２の折れ曲がり線４を中心として矢印１０ａ（図２）のように上側に回動させ、図２図示の状態にして使用する。
【００４４】
本考案のシート状製品収納箱１においては、蓋部９のシート状製品収納箱１の上面２によって形成されている部分９ａの、合成樹脂製のフィルム１４に形成されている取り出し口１６に対応する位置に、合成樹脂製のフィルム１４に形成されている取り出し口１６を周状に囲む切取線１７が設けられている。
【００４５】
蓋部９のシート状製品収納箱１の上面２によって形成されている部分９ａから、この周状の切取線１７で囲まれている部分１８を切り離すことにより、この部分に形成された蓋部取り出し口１９と、合成樹脂製のフィルム１４に形成されている取り出し口１６とを介して、シート状製品収納箱１に収納されているティッシュペーパー、キッチンペーパー、クッキングペーパー等のシート状製品１５を一枚、一枚、あるいは一葉、一葉取り出すことができる。
【００４６】
本考案のシート状製品収納箱１は、前述し、図２に示しているように、その内部に収納されているティッシュペーパー、キッチンペーパー、クッキングペーパー等のシート状製品１５を使用する者が、これらを使用するために、２本の切取線６ａ〜６ａ−１及び、６ｂ〜６ｂ−１のところで蓋部９になる部分９ａ、９ｂを、シート状製品収納箱１の上面２及び側面７からそれぞれ切り離し、折れ曲がり線４を中心として蓋部を上側（矢印１０ａ方向）に回動させて、合成樹脂製のフィルム１４に形成されている取り出し口１６を介して、シート状製品１５を一枚、一枚、あるいは一葉、一葉取り出すように使うことができる。
【００４７】
そして、これに加えて、蓋部９を切り離していない図１図示の状態においても、あるいは、蓋部９を一旦切り離した後に、蓋部９の先端部１２をシート状製品収納箱１の側面部に形成されている挿入口１３に挿入して、蓋部９が閉じられている図３図示の状態においても、前記のように、周状の切取線１７で囲まれている部分１８を蓋部９から切り離すことにより、この蓋部９に形成された蓋部取り出し口１９と、合成樹脂製のフィルム１４に形成されている取り出し口１６とを介して、シート状製品収納箱１に収納されているティッシュペーパー、キッチンペーパー、クッキングペーパー等のシート状製品１５を一枚、一枚、あるいは一葉、一葉取り出すことができる。そして、このような使用形態においても、使用中、使用が完了した後における箱内部の衛生状態を保ち、箱内部への異物侵入のおそれをなくして、清潔さを維持することができる。
【００４８】
以上、本考案の好ましい実施形態を添付図面を参照して説明したが、本発明はかかる実施形態に限定されるものではなく、実用新案登録請求の範囲の記載から把握される技術的範囲において、種々の形態に変更可能である。
【図面の簡単な説明】
【００４９】
【図１】本考案のシート状製品収納箱の一例を表す斜視図。
【図２】図１図示のシート状製品収納箱が使用されている状態を説明する斜視図。
【図３】図２図示のシート状製品収納箱が使用されている他の状態を説明する斜視図。
【符号の説明】
【００５０】
１  シート状製品収納箱
２  シート状製品収納箱の上面
３  シート状製品収納箱の上面の一側辺
４  折れ曲がり線
４ａ、４ｂ  折れ曲がり線の両端
５  シート状製品収納箱の上面の他側辺
６ａ、６ｂ、６ａ−１、６ｂ−１  切取線
７  シート状製品収納箱の側面
８  シート状製品収納箱の底面の辺
９（９ａ、９ｂ）  蓋部
１１  内側支持板体
１１ａ  内側支持板体の上端辺
１２  蓋部の先端部
１３  挿入口
１４  合成樹脂製のフィルム
１５  シート状製品
１６  取り出し口
１７  周状の切取線
１８  周状の切取線で囲まれている部分
１９  蓋部取り出し口
【図１】
0003106407.tif 000003
【図２】
0003106407.tif 000004
【図３】
0003106407.tif 000005